(57)【要約】【課題】インパクト駆動アクチュエータの体積を増やすことなく小型すること。【解決手段】固定部材１にその一端が固定され他端が伸縮する変位発生手段２の上記他端に固定され、上記変位発生手段の伸縮方向に移動できるように支持された振動部材４と、該振動部材上に配置され、固定部材に対して所望の方向に相対的移動する移動体３と、上記移動体と上記振動部材との摩擦力を変化させる摩擦調整部材６とを備え、上記摩擦調整部材６は、上記移動体の上記振動部材に対向する面に設置された第１の電極１０と、上記第１の電極と電気的に絶縁された上記振動部材の上記移動体に対向する面に設置された第２の電極２０と、を有し、上記第１の電極と上記第２の電極との間に静電気力を作用させることで、上記振動部材と上記移動体との間の静電気力を変化させることによって上記摩擦力を変化させる。【選択図】図１
2006340463.tif 000002
【特許請求の範囲】
【請求項１】
固定部材と、
上記固定部材にその一端が固定され、他端が伸縮する変位発生手段と、
上記変位発生手段の上記他端に固定され、上記変位発生手段の伸縮方向に移動できるように支持された振動部材と、
上記振動部材上に配置され、固定部材に対して所望の方向に相対的移動する移動体と、
上記変位発生手段へ変位を発生させるための所定の周期で変化する駆動信号を供給する駆動回路と、
上記移動体と上記振動部材との摩擦力を変化させる摩擦調整手段と、
を具備し、
上記摩擦調整手段は、
上記移動体の上記振動部材に対向する面に設置された第１の電極と、
上記第１の電極と電気的に絶縁された上記振動部材の上記移動体に対向する面に設置された第２の電極と、
を有し、
上記第１の電極と上記第２の電極との間に静電気力を作用させることで、上記振動部材と上記移動体との間の静電気力を変化させることによって上記摩擦力を変化させることを特徴とするインパクト駆動アクチュエータ。
【請求項２】
上記第１の電極と上記第２の電極との間に電位差を与えることによって、上記第１の電極と上記第２の電極との間に上記静電気力を発生させることを特徴とする請求項１に記載のインパクト駆動アクチュエータ。
【請求項３】
上記第１の電極または上記第２電極の何れか一方の電極に、所定の周期で変化する電圧を与え、他方の電極には固定電圧を与える電位差発生手段を更に具備することを特徴とする請求項２に記載のインパクト駆動アクチュエータ。
【請求項４】
上記電位差発生手段は、上記駆動回路からの上記駆動信号に所定の位相を与えることで、上記電圧を生成することを特徴とする請求項３に記載のインパクト駆動アクチュエータ。
【請求項５】
上記電位差発生手段から出力される上記電圧と上記駆動信号との間の位相差は０°または１８０°では無いことを特徴とする請求項４に記載のインパクト駆動アクチュエータ。
【請求項６】
上記振動部材と上記移動体との間にすべりを生じさせる場合には、上記第１の電極と上記第２の電極に同極性の電圧を印加し静電反発力を生じさせることを特徴とする請求項１に記載のインパクト駆動アクチュエータ。
【請求項７】
上記振動部材の上記移動体と対向する面には更に第３の電極が設置されていることを特徴とする請求項１に記載のインパクト駆動アクチュエータ。
【請求項８】
上記第２の電極と上記第３の電極との間に電位差を与えることによって、上記第１の電極と上記第２の電極との間に上記静電気力を発生させることを特徴とする請求項７に記載のインパクト駆動アクチュエータ。
【請求項９】
上記第２の電極または上記第３電極の何れか一方の電極に、所定の周期で変化する電圧を与え、他方の電極には固定電圧を与える電位差発生手段を更に具備することを特徴とする請求項８に記載のインパクト駆動アクチュエータ。
【請求項１０】
上記電位差発生手段は、上記駆動回路からの上記駆動信号に所定の位相を与えることで、上記電圧を生成することを特徴とする請求項９に記載のインパクト駆動アクチュエータ。
【請求項１１】
上記電位差発生手段から出力される上記電圧と上記駆動信号との間の位相差は０°または１８０°では無いことを特徴とする請求項１０に記載のインパクト駆動アクチュエータ。
【請求項１２】
上記第１の電極が配置された移動体が複数存在し、上記振動部材と上記移動体との間の静電気力を独立に変化させることを特徴とする請求項１または６に記載のインパクト駆動アクチュエータ。
【請求項１３】
上記移動体は、導電体であることを特徴とする請求項１または６に記載のインパクト駆動アクチュエータ。
【請求項１４】
上記移動体は、光学素子を含むことを特徴とする請求項１または６に記載のインパクト駆動アクチュエータ。
【請求項１５】
上記固定部材には更に光学素子が固定され、その光軸は上記移動体に設置された光学素子と一致していることを特徴とする請求項１４に記載のインパクト駆動アクチュエータ。
【請求項１６】
上記インパクト駆動アクチュエータは、上記変位発生手段の共振周波数で動作することを特徴とする請求項１または６に記載のインパクト駆動アクチュエータ。
【請求項１７】
上記変位発生手段は、上記振動部材の共振周波数で動作することを特徴とする請求項１または６に記載のインパクト駆動アクチュエータ。
【請求項１８】
上記変位発生手段は、上記変位発生手段と上記振動部材とで構成される系の共振周波数で動作することを特徴とする請求項１または６に記載のインパクト駆動アクチュエータ。
【発明の詳細な説明】
【技術分野】
【０００１】
本発明は、移動体を歩進駆動する小型のインパクト駆動アクチュエータに関する。
【背景技術】
【０００２】
駆動軸に結合された電気機械変換素子に鋸歯状波駆動パルスを供給して駆動軸を軸方向に変位させ、この駆動軸に摩擦結合させた移動部材を軸方向に移動させるアクチュエータが知られている（以下、このようなアクチュエータをインパクト駆動アクチュエータと呼ぶ）。
【０００３】
このインパクト駆動アクチュエータの動作原理を説明する。即ち、図１２（Ａ）に示すように、インパクト駆動アクチュエータは、変位発生手段（例えば圧電素子）２の一端が固定部材１に固定され、他端には駆動軸としての振動部材４が取り付けられている。この振動部材４上には、左右に移動自由に移動体３が摩擦結合されている。このような構成において、上記変位発生手段２には、図１２（Ｂ）に示すような鋸歯状波のパルスが印加される。
【０００４】
即ち、まず、緩やかに増加する電圧Ａが変位発生手段２に印加されると、該変位発生手段２が変位すると同時に振動部材４も変位する。変位発生手段２が緩やかに変位するため、移動体３は、振動部材４との摩擦により振動部材４とともに移動する（図１２（Ａ）における状態（ｂ））。  
次に、変位発生手段２に急峻に減少する電圧Ｂを印加すると、変位発生手段２の変位が戻ると同時に振動部材４も急峻に戻るが、移動体３と振動部材４の間にはすべりが生じるため、移動体３はその位置にとどまる（図１２（Ａ）における状態（ｃ））。  
このような波形を変位発生手段２に印加することによって、移動体３は点Ｏから点Ｐに移動したことになる。
【０００５】
この動作を繰り返すことで、固定部材１に対して移動体３を間欠的に移動させることができる。移動体３を反対方向へ移動させるには、左右に反転させた鋸歯状波パルスを変位発生手段２に印加すれば良い。
【０００６】
上記の駆動原理を用いたアクチュエータが特許文献１に開示されている。この特許文献１は、インパクト駆動アクチュエータをカメラのレンズ駆動に応用した一例を開示するものであり、図１０（Ｃ）に示すように、レンズの鏡筒の役割を果たす移動体３が振動部材４に嵌合されている。また、屈曲部を有する弾性部材５Ａが嵌合部分の移動体３に取り付けられており、弾性部材５Ａの屈曲部が振動部材４に圧接することにより、適当な摩擦力が発生するようにしている。
【０００７】
また、他の一例として、特許文献２がある。この特許文献２に開示のアクチュエータでは、図１０（Ｄ）に示すように、摩擦を発生させる部分に変位発生手段を含む摩擦調整手段５Ｂが用いられている。この摩擦調整手段５Ｂの変位発生手段への印加電圧と振動部材を変位させるための変位発生手段２に印加する電圧とを同期させることによって、移動に適する摩擦力を得ている。
【特許文献１】特許第２６３３０６６号公報
【特許文献２】特許第３１６８８４３号公報
【発明の開示】
【発明が解決しようとする課題】
【０００８】
しかしながら、上記特許文献１や２に開示のアクチュエータには、図１０（Ｃ）及び（Ｄ）に示すように、弾性部材５Ａや摩擦調整手段５Ｂのような、移動体３を振動部材４に押圧するための手段が別途移動体の外側に必要となる。従って、このような手段の分、体積が増すため、微小化は難しく、特に内視鏡などの超小型光学系の駆動源として用いるのは困難であった。
【０００９】
本発明は、上記の点に鑑みてなされたもので、振動部材と移動体との摩擦を得る手段が簡単で、体積を増やすことなく小型することが可能なインパクト駆動アクチュエータを提供することを目的とする。
【課題を解決するための手段】
【００１０】
本発明インパクト駆動アクチュエータの一態様は、
固定部材と、
上記固定部材にその一端が固定され、他端が伸縮する変位発生手段と、
上記変位発生手段の上記他端に固定され、上記変位発生手段の伸縮方向に移動できるように支持された振動部材と、
上記振動部材上に配置され、固定部材に対して所望の方向に相対的移動する移動体と、
上記変位発生手段へ変位を発生させるための所定の周期で変化する駆動信号を供給する駆動回路と、
上記移動体と上記振動部材との摩擦力を変化させる摩擦調整手段と、
を具備し、
上記摩擦調整手段は、
上記移動体の上記振動部材に対向する面に設置された第１の電極と、
上記第１の電極と電気的に絶縁された上記振動部材の上記移動体に対向する面に設置された第２の電極と、
を有し、
上記第１の電極と上記第２の電極との間に静電気力を作用させることで、上記振動部材と上記移動体との間の静電気力を変化させることによって上記摩擦力を変化させることを特徴とする。
【発明の効果】
【００１１】
本発明によれば、振動部材と移動体との摩擦を得る手段が簡単で、体積を増やすことなく小型することが可能なインパクト駆動アクチュエータを提供することができる。
【発明を実施するための最良の形態】
【００１２】
以下、本発明を実施するための最良の形態を図面を参照して説明する。
【００１３】
［第１実施形態］
まず、図１（Ａ）及び（Ｂ）を参照して、本発明の第１実施形態に係るインパクト駆動アクチュエータの構成を説明する。なおここで、図１（Ａ）は、本実施形態に係るインパクト駆動アクチュエータの側面図であり、図１（Ｂ）は、図１（Ａ）のＡ−Ａ線断面図である。
【００１４】
即ち、本実施形態に係るインパクト駆動アクチュエータにおいては、変位発生手段（例えば圧電素子）２の一端が固定部材１に固定されており、他端には振動部材４が取り付けられていて、駆動回路５０から該変位発生手段２に供給される電圧によって発生する変位によって振動部材４も変位するようになっている。振動部材４上には、移動体３が固定部材１に対し所定の方向に移動自由に設置されている。摩擦調整部材６は、移動体３の振動部材４との対向面に配置された第１の電極１０と、振動部材４の移動体３との対向面に配置された第２の電極２０とが、絶縁体３０を介して向合った構成となっている。電位差発生手段４０から第１の電極１０と第２の電極２０の間に電位差を与えることによって静電気力を発生させれば、移動体３と振動部材４との摩擦力を変化させることができる。
【００１５】
なお、移動体３が変位発生手段２の変位方向以外の方向に移動しないように、ガイド等を設けても構わない。
【００１６】
次に、本実施形態に係るインパクト駆動アクチュエータの駆動方法について、図２、図３（Ａ）及び図３（Ｂ）に従って説明する。なお、図２は本実施形態に係るインパクト駆動アクチュエータの変位の状態を示す図であり、図３（Ａ）は駆動回路５０から変位発生手段２へ入力される駆動信号と、電位差発生手段４０から第１及び第２の電極１０，２０への印加電圧とを示している。また、図３（Ｂ）は、本実施形態に係るインパクト駆動アクチュエータの制御フローチャートを示す図である。これらの図において、図３（Ａ）の（１）〜（４）と図３（Ｂ）の（１）〜（４）とが、また、図２の（ａ），（ｂ）と図３（Ａ）及び（Ｂ）の（ａ），（ｂ）とがそれぞれ対応している。
【００１７】
即ち、時刻（１）において、電位差発生手段４０によって、第１の電極１０に正電位を与え、第２の電極２０にはＧＮＤ（０Ｖ）の電位が与えることにより、第１の電極１０と第２の電極２０との間に静電吸引力を発生させる（ステップＳ１）。なお、図２においては、電位差発生手段４０は、直流電源とスイッチとからなるものとして等価的に示している。
【００１８】
この状態で、次の時刻（２）において、駆動回路５０から変位発生手段２へ正電圧を印加する（ステップＳ２）。すると、図２の状態（ａ）に示すように、変位発生手段２は、紙面右方向へ急峻に伸び、それに伴い振動部材４も右に移動する。しかし、第１の電極１０と第２の電極２０の間に働く静電吸引力により摩擦が働いているため、移動体３は振動部材４の移動とともに右に移動する。
【００１９】
そして、時刻（３）において、このように変位発生手段２が伸びた状態で、第１の電極１０と第２の電極２０に０Ｖを印加し静電吸引力を消滅させる（ステップＳ３）。そして、時刻（４）において、変位発生手段２への印加電圧を元に戻すと（ステップＳ４）、図２の状態（ｂ）に示すように、変位発生手段２とともに振動部材４が急峻に縮む。しかしながらこのとき、第１の電極１０と第２の電極との間には摩擦力が無いためすべりが生じ、移動体３はその場に留まることになる。
【００２０】
以上のように、本第１実施形態によれば、摩擦調整部材６として第１及び第２の電極１０，２０を配置することにより、摩擦調整部材６が移動体３の外側に飛び出さない、即ち、インパクト駆動アクチュエータの中に収まっているため、省スペース化でき小型化に適している。さらに、電極１０，２０間に電位差を与えて静電気力で摩擦を与えられるため、変位発生手段２の変位速度を往復で変化させることなくインパクト駆動が可能になり、駆動回路５０に往路用，復路用といった２種類の波形を発生させる必要がなくなり、駆動回路５０そのもの構成も簡単になる。
【００２１】
なお、移動体３を任意の方向に動かすときには、第２の電極２０への印加電圧は一定電圧（０Ｖ）とし、第１の電極１０への印加電圧は、直流電源とスイッチの切替を、駆動回路５０からの駆動信号のタイミングに基づいて行うことで生成すれば良い。
【００２２】
この場合、図３（Ａ）の駆動波形において、変位発生手段２への印加電圧と第１の電極１０への印加電圧の位相がおおよそ９０°であるが、これに限らず、例えば、図４に示すように駆動信号の立ち上がりと電圧波形の立上りあるいは立下りとが同位相で無ければ、安定した動作になる。
【００２３】
図５は、本発明の第１実施形態に係るインパクト駆動アクチュエータの第１の変形例における駆動波形を示す図である。  
即ち、インパクト駆動アクチュエータにおいては、すべりが生じたときの移動体３と振動部材４には動摩擦が生じて、この摩擦による磨耗が懸念される。  
これを減じるため、本第１変形例では、第２の電極２０で印加する電圧を負電圧の一定電位とし、第１の電極１０へ印加する電圧を、正負に変化する電圧とするものである。従って、電位差が有るときには上記第１実施形態と同様に静電吸着力が働き、電位差を無くしたときは、同極の電圧印加により静電反発力が働くことによって、移動体３と振動部材４との間の摩擦力が軽減される。
【００２４】
図６は、本発明の第１実施形態に係るインパクト駆動アクチュエータの第２の変形例を示す図である。  
本変形例に係るインパクト駆動アクチュエータの機構は、上記第１実施形態と同様であるが、電位差発生手段４０からの出力を、駆動回路５０から出力される信号を用いて作成している。例えば、電位差発生手段４０内に位相シフタ（図示せず）を配置し、駆動回路５０からの駆動信号の位相を、図５に示す電位差発生手段４０からの出力信号のように位相を変えて、第１の電極１０へ印加することによって、本変形例に係るアクチュエータは安定した動作が可能になる。従って、あえて電位差発生手段４０にパルス回路を作成する必要が無く、回路の小型化も図ることができる。
【００２５】
［第２実施形態］
図７（Ａ）は、本発明の第２実施形態に係るインパクト駆動アクチュエータの構成を示す斜視図である。本実施形態では、振動部材４上に、第２の電極２０に加えて第３の電極２１を配置した構成になっている。
【００２６】
図７（Ｂ）は、図７（Ａ）の視点Ａから見た断面図であり、図７（Ｃ）は、図７（Ｂ）の電極部分のみを抜き出したものである。  
図７（Ｂ）に示すように、第３の電極２１に正電荷を印加すると、静電誘導により第１の電極１０の第３の電極２１に対向する表面（第１の電極１０の左側）に負の電荷が生じる。更に、第１の電極１０の左側に負の電荷が生じるために、第１の電極１０の右側には正の電荷が誘導する。図７（Ｂ）及び（Ｃ）では、第１の電極１０の右側の対向面には第２の電極２０が設置されており、この電極２０には負の電荷が印加されているため、第１の電極１０の右側には正の電荷が誘導し易い。従って、これらの対向面には静電吸着力が発生し、移動体３と振動部材４の間には摩擦が生じることになる。
【００２７】
このように、本第２実施形態に係るインパクト駆動アクチュエータでは、第３の電極２１に印加した電圧による静電誘導により静電吸着力を発生させているため、第１の電極１０への配線が要らなくなり、簡単な構成になるため小型化し易いだけでなく、移動体３に配線が無くなるため動作が安定する。
【００２８】
また、本実施形態においても、変位発生手段２の変位速度を往復で変化させることなくインパクト駆動が可能なため、駆動回路５０に往路用，復路用といった２種類の波形を生成させる必要がなくなり、駆動回路５０そのもの構成も簡単になる。
【００２９】
なお、上記第１実施形態と同様に、移動体３を任意の方向に動かすときには、第２の電極２０への印加電圧は一定電圧（０Ｖ）とし、第３の電極２１への印加電圧は、直流電源とスイッチの切替を、駆動回路５０からの駆動信号のタイミングに基づいて行うことで生成すれば良い。更に、電位差発生手段４０内に位相シフタを配置して駆動信号の位相を変え、第３の電極２１へ印加することによって、本実施形態に係るアクチュエータは安定した動作が可能になる。従って、あえて電位差発生手段４０にパルス回路を作成する必要が無く、回路の小型化も図ることができる。
【００３０】
また、本実施形態においても、第３の電極２１に印加する電圧は変位発生手段２に印加する電圧に対して９０°の位相差を持っているが、駆動信号の立ち上がりと電圧波形の立上りあるいは立下りが同位相で無ければ良い。
【００３１】
［第３実施形態］
本発明の第３実施形態について、図８、図９（Ａ）及び図９（Ｂ）を参照して説明する。  
本第３実施形態に係るインパクト駆動アクチュエータは、図８に示すように、振動部材４上に２つの移動体３ａ，３ｂが配置されている。そして、一方の移動体３ａには第１の電極１０ａが配置され、他方の移動体３ｂにも第１の電極１０ｂが設置されている。
【００３２】
このような構成のインパクト駆動アクチュエータにおいて、図９（Ａ）及び図９（Ｂ）に示すように、時刻（１）では、一方の移動体３ａの第１の電極１０ａと第２の電極２０との間に電位を与えるが、他方の移動体３ｂの第１の電極１０ｂと第２の電極２０との間には電位を与えない（ステップＳ１１）。
【００３３】
この状態で、次の時刻（２）において、駆動回路５０から変位発生手段２へ正電圧を印加することで、変位発生手段２を右に急峻に伸ばすと（ステップＳ１２）、図８の状態（ａ）に示すように、一方の移動体３ａは電位差が与えられているため吸引力が働き振動部材４とともに移動するが、電位差が作用していない他方の移動体３ｂはその位置に留まる。
【００３４】
そして、時刻（３）において、逆に、他方の移動体３ｂの第１の電極１０ｂと第２の電極２０との間に印加し、一方の移動体３ａの第１の電極１０ａと第２の電極２０との間には印加しない（ステップＳ１３）。従って、時刻（４）において、変位発生手段２への印加電圧を元に戻すことで変位発生手段２が急峻に縮むと（ステップＳ１４）、図８の状態（ｂ）に示すように、一方の移動体３ａはその場に留まり、他方の移動体３ｂは振動部材４とともに左へ移動する。
【００３５】
本実施形態のような構成にすることにより、上記第１実施形態と同様に省スペースで、かつ、複数の移動体３ａ，３ｂを独立に移動させることが可能になる。この場合も、移動体が１つの場合と同様に、第１の電極１０ａ，１０ｂに印加する電圧は変位発生手段２に印加する電圧に対して９０°の位相差を持っているが、駆動信号の立ち上がりと電圧波形の立上りあるいは立下りが同位相で無ければ良い。
【００３６】
［第４実施形態］
図１０（Ａ）及び（Ｂ）は、本発明の第４実施形態に係るインパクト駆動アクチュエータの構成を示す図である。  
主な構成については上記第１実施形態と同様であり、図１（Ａ）及び（Ｂ）との相違点は移動体３に導電体を用いているため、移動体３が第１の電極を兼ねることになる。
【００３７】
従って、移動体３に電極を作る必要がなく、より簡単な構成で移動体３と振動部材４との間の摩擦を得ることができる。
【００３８】
［第５実施形態］
本発明の第１乃至第４実施形態に係るインパクト駆動アクチュエータは、他にいくつかの部材と組合わせて、特定の用途のモジュール、例えば、撮像モジュールとして機能させることができる。そのような特定用途のモジュールの例を、本発明の第５実施形態として説明する。
【００３９】
図１１（Ａ）及び（Ｂ）はそれぞれ本第５実施形態における撮像モジュールの斜視図及び側面図である。この撮像モジュールは、上記第３実施形態に係るインパクト駆動アクチュエータを用いたものである。
【００４０】
即ち、この撮像モジュールは、レンズ枠として機能する移動体３ａ，３ｂが配置され、固定部材１の前方には、第１のレンズ群６１がレンズ枠１Ａとともに固定されている。また、固定部材１の後方にも同様に、第４レンズ群６４がレンズ枠１Ｂとともに固定されている。第４レンズ群６４の後方にはローパスフィルタ７１及び撮像素子７２が固定されている。なお、前述した第３実施形態と同様に、特に図示はしていないが、第１の電極１０ａ，１０ｂと第２の電極２０とにより静電吸着力を制御して、移動体３ａ，３ｂの２つのレンズ群６２，６３を独立に駆動することができる。
【００４１】
このように、第１レンズ群６１から第４レンズ群６４は撮像素子７２を焦点面として、第２及び第３レンズ群６２，６３を可動群とする非常にコンパクトなズーム光学系を構成することができる。
【００４２】
なお、本実施形態では、移動体３にレンズ群を配置したが、撮像素子，プリズム，ミラーなどの様々な光学素子を移動体３に固定して配置するようにしても良い。固定部材１に固定されるものも同様である。
【００４３】
以上実施形態に基づいて本発明を説明したが、本発明は上述した実施形態に限定されるものではなく、本発明の要旨の範囲内で種々の変形や応用が可能なことは勿論である。
【００４４】
例えば、以上の実施形態では、直流電源とスイッチの切替で各移動体３に電位を与えていたが、駆動回路５０からの電圧の位相を変える手段を電位差発生手段４０に持たせれば、複数の移動体３の制御が更に容易になる。
【００４５】
また、振動部材４が変位発生手段２（圧電素子など）と比較して、その質量，寸法が非常に小さい場合は、変位発生手段２の共振周波数で駆動させることにより、駆動回路５０から供給する電圧を低く抑えることができる。逆に、変位発生手段２が振動部材４と比較して、非常に小さい場合は、振動部材４の共振周波数で変位発生手段２を駆動することにより、上記と同様に駆動回路５０から供給する電圧を低く抑えることができる。更に、振動部材４，変位発生手段２の大きさ，質量などが変わらない場合は、この二つの系の共振周波数で変位発生手段２を駆動すれば良い。
【００４６】
また、変位発生手段２は、圧電素子に限定されるものではなく、静電式，電磁式，磁歪式等のアクチュエータを用いても構わない。
【００４７】
（付記）
前記の具体的実施形態から、以下のような構成の発明を抽出することができる。
【００４８】
（１）  固定部材と、
上記固定部材にその一端が固定され、他端が伸縮する変位発生手段と、
上記変位発生手段の上記他端に固定され、上記変位発生手段の伸縮方向に移動できるように支持された振動部材と、
上記振動部材上に配置され、固定部材に対して所望の方向に相対的移動する移動体と、
上記変位発生手段へ変位を発生させるための所定の周期で変化する駆動信号を供給する駆動回路と、
上記移動体と上記振動部材との摩擦力を変化させる摩擦調整手段と、
を具備し、
上記摩擦調整手段は、
上記移動体の上記振動部材に対向する面に設置された第１の電極と、
上記第１の電極と電気的に絶縁された上記振動部材の上記移動体に対向する面に設置された第２の電極と、
を有し、
上記第１の電極と上記第２の電極との間に静電気力を作用させることで、上記振動部材と上記移動体との間の静電気力を変化させることによって上記摩擦力を変化させることを特徴とするインパクト駆動アクチュエータ。
【００４９】
（対応する実施形態）
この（１）に記載のインパクト駆動アクチュエータに関する実施形態は、第１実施形態が対応する。その実施形態において、固定部材１が上記固定部材に、変位発生手段２が上記変位発生手段に、振動部材４が上記振動部材に、移動体３が上記移動体に、駆動回路５０が上記駆動回路に、摩擦調整部材６が上記摩擦調整手段に、移動体３の第１の電極１０が上記第１の電極に、振動部材４の第２の電極２０が上記第２の電極に、それぞれ対応する。
【００５０】
（作用効果）
この（１）に記載のインパクト駆動アクチュエータによれば、摩擦調整手段が移動体と振動部材間の２つの電極で構成され、アクチュエータ内部のスペースに納まり小型化が容易になる。
【００５１】
（２）  上記第１の電極と上記第２の電極との間に電位差を与えることによって、上記第１の電極と上記第２の電極との間に上記静電気力を発生させることを特徴とする（１）に記載のインパクト駆動アクチュエータ。
【００５２】
（対応する実施形態）
この（２）に記載のインパクト駆動アクチュエータに関する実施形態は、第１実施形態が対応する。
【００５３】
（作用効果）
この（２）に記載のインパクト駆動アクチュエータによれば、電極間に電位差を与えて静電気力で摩擦力を発生させることが可能になる。
【００５４】
（３）  上記第１の電極または上記第２電極の何れか一方の電極に、所定の周期で変化する電圧を与え、他方の電極には固定電圧を与える電位差発生手段を更に具備することを特徴とする（２）に記載のインパクト駆動アクチュエータ。
【００５５】
（対応する実施形態）
この（３）に記載のインパクト駆動アクチュエータに関する実施形態は、第１実施形態が対応する。その実施形態において、電位差発生手段４０が上記電位差発生手段に対応する。
【００５６】
（作用効果）
この（３）に記載のインパクト駆動アクチュエータによれば、電位差を変位発生手段の所定の周期で変化する電圧波形にすることによって駆動回路の構成が簡単になる。
【００５７】
（４）  上記電位差発生手段は、上記駆動回路からの上記駆動信号に所定の位相を与えることで、上記電圧を生成することを特徴とする（３）に記載のインパクト駆動アクチュエータ。
【００５８】
（対応する実施形態）
この（４）に記載のインパクト駆動アクチュエータに関する実施形態は、第１実施形態が対応する。
【００５９】
（作用効果）
この（４）に記載のインパクト駆動アクチュエータによれば、電位差を発生させるための電位波形を、駆動回路の信号から作ることによって、電位差発生手段の構成が簡単になる。
【００６０】
（５）  上記電位差発生手段から出力される上記電圧と上記駆動信号との間の位相差は０°または１８０°では無いことを特徴とする（４）に記載のインパクト駆動アクチュエータ。
【００６１】
（対応する実施形態）
この（５）に記載のインパクト駆動アクチュエータに関する実施形態は、第１実施形態が対応する。
【００６２】
（作用効果）
この（５）に記載のインパクト駆動アクチュエータによれば、電極へ印加する電位波形を駆動信号と完全に同期させないことにより、より安定した駆動となる。
【００６３】
（６）  上記振動部材と上記移動体との間にすべりを生じさせる場合には、上記第１の電極と上記第２の電極に同極性の電圧を印加し静電反発力を生じさせることを特徴とする（１）に記載のインパクト駆動アクチュエータ。
【００６４】
（対応する実施形態）
この（６）に記載のインパクト駆動アクチュエータに関する実施形態は、第１実施形態が対応する。
【００６５】
（作用効果）
この（６）に記載のインパクト駆動アクチュエータによれば、すべりを発生させるときに電極間に静電反発力を発生させれば、移動時に生じる電極間の磨耗が軽減できる。
【００６６】
（７）  上記振動部材の上記移動体と対向する面には更に第３の電極が設置されていることを特徴とする（１）に記載のインパクト駆動アクチュエータ。
【００６７】
（対応する実施形態）
この（７）に記載のインパクト駆動アクチュエータに関する実施形態は、第２実施形態が対応する。その実施形態において、振動部材４の第３の電極２１が上記第３の電極に対応する。
【００６８】
（作用効果）
この（７）に記載のインパクト駆動アクチュエータによれば、第３の電極を設けることにより、第１の電極すなわち移動体への配線が無くなり、移動体が配線の拘束を受けずに安定する。
【００６９】
（８）  上記第２の電極と上記第３の電極との間に電位差を与えることによって、上記第１の電極と上記第２の電極との間に上記静電気力を発生させることを特徴とする（７）に記載のインパクト駆動アクチュエータ。
【００７０】
（対応する実施形態）
この（８）に記載のインパクト駆動アクチュエータに関する実施形態は、第２実施形態が対応する。
【００７１】
（作用効果）
この（８）に記載のインパクト駆動アクチュエータによれば、移動体に配線することなく、第２と第３の電極間に電位差を与えて静電気力による摩擦力を発生させることができる。
【００７２】
（９）  上記第２の電極または上記第３電極の何れか一方の電極に、所定の周期で変化する電圧を与え、他方の電極には固定電圧を与える電位差発生手段を更に具備することを特徴とする（８）に記載のインパクト駆動アクチュエータ。
【００７３】
（対応する実施形態）
この（９）に記載のインパクト駆動アクチュエータに関する実施形態は、第２実施形態が対応する。その実施形態において、電位差発生手段４０が上記電位差発生手段に対応する。
【００７４】
（作用効果）
この（９）に記載のインパクト駆動アクチュエータによれば、更に電位差を変位発生手段の所定の周期で変化する電圧波形にすることによって駆動回路の構成が簡単になる。
【００７５】
（１０）  上記電位差発生手段は、上記駆動回路からの上記駆動信号に所定の位相を与えることで、上記電圧を生成することを特徴とする（９）に記載のインパクト駆動アクチュエータ。
【００７６】
（対応する実施形態）
この（１０）に記載のインパクト駆動アクチュエータに関する実施形態は、第２実施形態が対応する。
【００７７】
（作用効果）
この（１０）に記載のインパクト駆動アクチュエータによれば、更に電位差を発生させるための電位波形を、駆動回路の信号から作ることによって、電位差発生手段の構成が簡単になる。
【００７８】
（１１）  上記電位差発生手段から出力される上記電圧と上記駆動信号との間の位相差は０°または１８０°では無いことを特徴とする（１０）に記載のインパクト駆動アクチュエータ。
【００７９】
（対応する実施形態）
この（１１）に記載のインパクト駆動アクチュエータに関する実施形態は、第２実施形態が対応する。
【００８０】
（作用効果）
この（１１）に記載のインパクト駆動アクチュエータによれば、電極へ印加する電位波形を駆動信号と完全に同期させないことにより、より安定した駆動となる。
【００８１】
（１２）  上記第１の電極が配置された移動体が複数存在し、上記振動部材と上記移動体との間の静電気力を独立に変化させることを特徴とする（１）または（６）に記載のインパクト駆動アクチュエータ。
【００８２】
（対応する実施形態）
この（１２）に記載のインパクト駆動アクチュエータに関する実施形態は、第３実施形態が対応する。その実施形態において、移動体３ａ，３ｂが上記複数の移動体に対応する。
【００８３】
（作用効果）
この（１２）に記載のインパクト駆動アクチュエータによれば、アクチュエータを省スペース化したまま、複数の移動体をそれぞれ独立に移動させることができる。
【００８４】
（１３）  上記移動体は、導電体であることを特徴とする（１）または（６）に記載のインパクト駆動アクチュエータ。
【００８５】
（対応する実施形態）
この（１３）に記載のインパクト駆動アクチュエータに関する実施形態は、第４実施形態が対応する。
【００８６】
（作用効果）
この（１３）に記載のインパクト駆動アクチュエータによれば、移動体を導電体にすることにより、該移動体自身を第１の電極として機能させることができる。そのため、特に別途電極を設ける必要が無くなり、更に小型化が容易になる。
【００８７】
（１４）  上記移動体は、光学素子を含むことを特徴とする（１）または（６）に記載のインパクト駆動アクチュエータ。
【００８８】
（対応する実施形態）
この（１４）に記載のインパクト駆動アクチュエータに関する実施形態は、第５実施形態が対応する。その実施形態において、第２及び／又は第３レンズ群６２，６３が上記光学素子に対応する。
【００８９】
（作用効果）
この（１４）に記載のインパクト駆動アクチュエータによれば、移動体に光学素子を設置することにより、独立にレンズ群を動かすことができる。
【００９０】
（１５）  上記固定部材には更に光学素子が固定され、その光軸は上記移動体に設置された光学素子と一致していることを特徴とする（１４）に記載のインパクト駆動アクチュエータ。
【００９１】
（対応する実施形態）
この（１５）に記載のインパクト駆動アクチュエータに関する実施形態は、第５実施形態が対応する。その実施形態において、第１及び第４レンズ群６１，６４が上記固定部材の光学素子に対応する。
【００９２】
（作用効果）
この（１５）に記載のインパクト駆動アクチュエータによれば、固定部材に更に光学素子を配置することにより、小型撮像ユニットを構成することができる。
【００９３】
（１６）  上記インパクト駆動アクチュエータは、上記変位発生手段の共振周波数で動作することを特徴とする（１）または（６）に記載のインパクト駆動アクチュエータ。
【００９４】
（対応する実施形態）
この（１６）に記載のインパクト駆動アクチュエータに関する実施形態は、第１乃至第５実施形態が対応する。
【００９５】
（作用効果）
この（１６）に記載のインパクト駆動アクチュエータによれば、変位発生手段の共振周波数で動作させることにより、低消費電力駆動が可能になる。
【００９６】
（１７）  上記変位発生手段は、上記振動部材の共振周波数で動作することを特徴とする（１）または（６）に記載のインパクト駆動アクチュエータ。
【００９７】
（対応する実施形態）
この（１７）に記載のインパクト駆動アクチュエータに関する実施形態は、第１乃至第５実施形態が対応する。
【００９８】
（作用効果）
この（１７）に記載のインパクト駆動アクチュエータによれば、振動部材の共振周波数で変位発生手段を駆動することにより、低消費電力駆動が可能になる。
【００９９】
（１８）  上記変位発生手段は、上記変位発生手段と上記振動部材とで構成される系の共振周波数で動作することを特徴とする（１）または（６）に記載のインパクト駆動アクチュエータ。
【０１００】
（対応する実施形態）
この（１８）に記載のインパクト駆動アクチュエータに関する実施形態は、第１乃至第５実施形態が対応する。
【０１０１】
（作用効果）
この（１８）に記載のインパクト駆動アクチュエータによれば、変位発生手段と振動部材とで構成される系で変位発生手段を駆動させることにより、低消費電力駆動が可能になる。
【図面の簡単な説明】
【０１０２】
【図１】図１（Ａ）は、本発明の第１実施形態に係るインパクト駆動アクチュエータの側面図であり、図１（Ｂ）は、図１（Ａ）のＡ−Ａ線断面図である。
【図２】図２は、第１実施形態に係るインパクト駆動アクチュエータの変位の状態を示す図である。
【図３】図３（Ａ）は、第１実施形態に係るインパクト駆動アクチュエータにおける駆動回路からの駆動信号の波形と電位差発生手段からの印加電圧の波形とを示す図であり、図３（Ｂ）は、第１実施形態に係るインパクト駆動アクチュエータの制御フローチャートを示す図である。
【図４】図４は、駆動信号の立ち上がりと電圧波形の立上りあるいは立下りとが同位相の場合を示す図である。
【図５】図５は、第１実施形態に係るインパクト駆動アクチュエータの第１の変形例における駆動回路からの駆動信号の波形と電位差発生手段からの印加電圧の波形とを示す図である。
【図６】図６は、第１実施形態に係るインパクト駆動アクチュエータの第２の変形例を示す図である。
【図７】図７（Ａ）は、本発明の第２実施形態に係るインパクト駆動アクチュエータの構成を示す斜視図であり、図７（Ｂ）は、図７（Ａ）の視点Ａから見た断面図であり、図７（Ｃ）は、図７（Ｂ）の電極部分のみを抜き出した図である。
【図８】図８は、本発明の第３実施形態に係るインパクト駆動アクチュエータの変位の状態を示す図である。
【図９】図９（Ａ）は、第３実施形態に係るインパクト駆動アクチュエータにおける駆動回路からの駆動信号の波形と電位差発生手段からの印加電圧の波形とを示す図であり、図９（Ｂ）は、第３実施形態に係るインパクト駆動アクチュエータの制御フローチャートを示す図である。
【図１０】図１０（Ａ）は、本発明の第４実施形態に係るインパクト駆動アクチュエータの側面図であり、図１０（Ｂ）は、図１０（Ａ）のＡ−Ａ線断面図である。
【図１１】図１１（Ａ）は、本発明の第５実施形態における撮像モジュールの斜視図であり、図１１（Ｂ）は、その側面図である。
【図１２】図１２（Ａ）は、インパクト駆動アクチュエータの動作原理を説明するための状態遷移図、図１２（Ｂ）は、変位発生手段の印加電圧の波形図、図１２（Ｃ）は、従来のインパクト駆動アクチュエータの構成を示す図であり、図１２（Ｄ）は、従来のインパクト駆動アクチュエータの別の構成を示す図である。
【符号の説明】
【０１０３】
１…固定部材、  １Ａ，１Ｂ…レンズ枠、  ２…変位発生手段、  ３，３ａ，３ｂ…移動体、  ４…振動部材、  ６…摩擦調整部材、  １０，１０ａ，１０ｂ…第１の電極、  ２０…第２の電極、  ２１…第３の電極、  ３０…絶縁体、  ４０…電位差発生手段、  ５０…駆動回路、  ６１〜６４…レンズ群、  ７１…ローパスフィルタ、  ７２…撮像素子。
【図１】
2006340463.tif 000003
【図２】
2006340463.tif 000004
【図３】
2006340463.tif 000005
【図４】
2006340463.tif 000006
【図５】
2006340463.tif 000007
【図６】
2006340463.tif 000008
【図７】
2006340463.tif 000009
【図８】
2006340463.tif 000010
【図９】
2006340463.tif 000011
【図１０】
2006340463.tif 000012
【図１１】
2006340463.tif 000013
【図１２】
2006340463.tif 000014